(57)【要約】【課題】部品点数が少なくしかも任意の装飾スペースに合わせて成形して組み付けできる装飾性の高い遊技機用発光装置及びそれを備えた遊技機を提供する。【解決手段】耐熱性熱可塑性樹脂基材を用いた高さ方向に起伏を有する立体形状を有する立体基板１８に配線部が形成され、該配線部に少なくとも発光素子２５ａ，２５ｂが基板実装された遊技機用発光基板を備えた。【選択図】図２
2011072331.tif 000002
【特許請求の範囲】
【請求項１】
耐熱性熱可塑性樹脂基材を用いた曲面部を有する立体基板に配線部が形成され、該配線部に少なくとも発光素子が基板実装された遊技機用発光基板を備えたことを特徴とする遊技機用発光装置。
【請求項２】
前記遊技機用発光基板は、前記曲面部に配線部が形成され、該配線部に複数の発光素子が異なる高さとなるように基板実装されている請求項１記載の遊技機用発光装置。
【請求項３】
前記遊技機用発光基板は、前記曲面部に配線部が形成され、該配線部に複数の発光素子の発する光の光軸が異なる方向となるように基板実装されている請求項１又は２記載の遊技機用発光装置。
【請求項４】
遊技機用発光基板は、曲面部とその周囲に設けられた平坦部を含む立体基板に配線部が形成され、前記平坦部に形成された配線部に発光素子が基板実装されている請求項１乃至３記載の遊技機用発光装置。
【請求項５】
前記曲面部に形成された配線部に基板実装された第一の発光素子と前記平坦部に形成された配線部に基板実装された第二の発光素子から照射される光が混じりあって遊技者に視認される請求項４記載の遊技機用発光装置。
【請求項６】
前記曲面部には面取りされた面取り部が形成されており、該面取り部に設けられた配線部に発光素子が基板実装されている請求項１乃至５のいずれか１項記載の遊技機用発光装置。
【請求項７】
前記立体基板の後面側に設けられたリジッド基板に基板実装された発光素子からの照射光が前記立体基板の曲面部を透過して点灯表示される請求項１乃至６のいずれか１項記載の遊技機用発光装置。
【請求項８】
前記曲面部の後面側には立体形状を保持する補強部材が重ね合わせて設けられている請求項１乃至７のいずれか１項記載の遊技機用発光装置。
【請求項９】
遊技機用発光基板は、凹面部に設けられた配線部に電気部品が基板実装され、前記凹面部の周囲の平坦部に設けられた配線部に発光素子が基板実装されている請求項１記載の遊技機用発光装置。
【請求項１０】
請求項１乃至請求項９のいずれか１項記載の遊技機用発光装置を備えた遊技機。
【発明の詳細な説明】
【技術分野】
【０００１】
本発明は、例えばパチンコ機に用いられる遊技機用発光装置及びそれを備えた遊技機に関する。
【背景技術】
【０００２】
パチンコ機などの遊技機には、外枠に対して内枠が開閉可能に設けられ、該内枠には遊技盤が着脱可能に組み付けられている。また、内枠に対して前面枠が開閉可能に設けられている。遊技盤には遊技領域を形成する遊技盤レール（内外レール）が設けられており、その遊技領域には図柄表示装置（液晶表示装置）、遊技釘、入賞口、大入賞口、電動チューリップなどの盤面部品やアウト口などが設けられている。
【０００３】
近年、パチンコ機の図柄表示装置の大画面化にともなってセンター役物が大型化する傾向にある。センター役物が大型化すると遊技球が流下する遊技領域が狭くなるため遊技領域を拡大したいというニーズがある。遊技盤を上下方向に大型化すると遊技領域を覆う前面枠の透明板（複層ガラス、透明樹脂板等）の遊技機前面に占める占有面積も上下方向に拡大する。このため、透明板の窓枠周辺に設けられる装飾領域が縮小してしまいトップランプやスピーカーなどの装飾部材のレイアウトの自由度が制約を受けてしまう。また、パチンコ機の奥行き方向においても透明板と遊技盤や内枠などが対向配置されているため、装飾領域が確保し難い。
【０００４】
遊技盤やその周辺部に設けられる発光装置は、前方に配置した光透過性の樹脂ケースやフィギュアやキャラクターなどを後面側に設けた発光基板より光照射して発光させるものが多く、設置面積を要するとともに部品点数も多く、装飾レイアウトの制約を受けやすい。
【０００５】
また、発光基板としてリジッドな樹脂基板を用いることなく、比較的自由度の高い三次元形状に成形できる汎用の回路基板も提案されている（特許文献１参照）。
【先行技術文献】
【特許文献】
【０００６】
【特許文献１】特開２００７−８１２３７号公報
【発明の開示】
【発明が解決しようとする課題】
【０００７】
現状の遊技機においては、遊技盤に設けられるセンター役物や遊技領域の拡大にともない、省スペースでも装飾領域を確保して装飾性の高い多彩な演出を行うための有効な解決策が見出されていない。また、発光装置に用いられる発光基板として、任意のサイズで立体形状をした発光基板は未だ用いられていない。
【０００８】
本発明の目的は、上記従来技術の課題を解決し、部品点数が少なくしかも任意の装飾スペースに合わせて成形して組み付けできる装飾性の高い遊技機用発光装置及びその遊技機用発光装置を用いることで立体的で奥行き感のある多彩な演出が行なえる遊技機を提供することにある。
【課題を解決するための手段】
【０００９】
本発明は上記目的を達成するため、次の構成を備えることを特徴とする。
耐熱性熱可塑性樹脂基材を用いた曲面部を有する立体基板に配線部が形成され、該配線部に少なくとも発光素子が基板実装された遊技機用発光基板を備えたことを特徴とする。
【００１０】
前記遊技機用発光基板は、前記曲面部に配線部が形成され、該配線部に複数の発光素子が異なる高さとなるように基板実装されていることを特徴とする。
【００１１】
前記遊技機用発光基板は、前記曲面部に配線部が形成され、該配線部に複数の発光素子の発する光の光軸が異なる方向となるように基板実装されていることを特徴とする。
【００１２】
遊技機用発光基板は、曲面部とその周囲に設けられた平坦部を含む立体基板に配線部が形成され、前記平坦部に形成された配線部に発光素子が基板実装されていることを特徴とする。
【００１３】
前記曲面部に形成された配線部に基板実装された第一の発光素子と前記平坦部に形成された配線部に基板実装された第二の発光素子から照射される光が混じりあって遊技者に視認されることを特徴とする。
【００１４】
前記曲面部には面取りされた面取り部が形成されており、該面取り部に設けられた配線部に発光素子が基板実装されていることを特徴とする。
【００１５】
前記立体基板の後面側に設けられたリジッド基板に基板実装された発光素子からの照射光が前記立体基板の曲面部を透過して点灯表示されることを特徴とする。
【００１６】
前記曲面部の後面側には立体形状を保持する補強部材が重ね合わせて設けられていることを特徴とする。
【００１７】
遊技機用発光基板は、凹面部に設けられた配線部に電気部品が基板実装され、前記凹面部の周囲の平坦部に設けられた配線部に発光素子が基板実装されていることを特徴とする。
【００１８】
また、遊技機においては上述したいずれかの遊技機用発光装置を備えたことを特徴とする。
【発明の効果】
【００１９】
上述した遊技機用発光装置は、耐熱性熱可塑性樹脂基材を用いた高さ方向に起伏を有する立体形状を有する立体基板に配線部が形成され、該配線部に少なくとも発光素子が基板実装された遊技機用発光基板を備えているので、部品点数が少なくしかも任意の装飾スペースに合わせて基板を立体形状に成形して組み付けできるので、省スペースでも装飾性の高い遊技機用発光装置を提供することができる。
【００２０】
また、遊技機用発光基板は、曲面部に配線部が形成され、該配線部に複数の発光素子が異なる高さとなるように基板実装されているので、立体的で奥行き感のある装飾効果が得られる。
【００２１】
また、遊技機用発光基板は、曲面部に配線部が形成され、該配線部に複数の発光素子の発する光の光軸が異なる方向となるように基板実装されているので、照射対象となる光透過性を有するレンズが複数存在したり、レンズに照射面が複数形成されていたりしても照射光を確実にそれぞれのレンズに照射することができ、装飾性を高めることができる。
【００２２】
遊技機用発光基板は、曲面部とその周囲に設けられた平坦部を含む立体基板に配線部が形成され、前記曲面部と平坦部の両方に発光素子が基板実装されるので、平板状の基板に比べて基板実装可能な発光素子の数を増やすことができ、装飾効果を高めることができる。
【００２３】
また、曲面部に形成された配線部に基板実装された第一の発光素子と平坦部に形成された配線部に基板実装された第二の発光素子から照射される光が混じりあって遊技者に視認されるので、輝度が増大すると共に色彩が変化し、装飾効果を高めた多彩な演出を行うことができる。
【００２４】
また、曲面部には面取りされた面取り部が形成されており、該面取り部に設けられた配線部に発光素子が基板実装されていると、面取り部に対する発光素子の実装作業が容易に行なえるうえに、実装不良が発生し難くなる。また、発光素子より照射される照射光の方向性を確実に定めることができる。
【００２５】
また、立体基板の後面側に設けられたリジッド基板に基板実装された発光素子からの照射光が立体基板の曲面部を透過して点灯表示されると、発光基板の後面側の光源により基板面も装飾面として利用できるので、より複雑で多彩な演出が行える。
【００２６】
また、立体基板の曲面部の後面側には立体形状を保持する補強部材が重ね合わせて設けられていると、曲面部の変形やこれに伴う配線部と発光素子の電気的接続性が損なわれて信頼性が低下するのを防ぐことができる。尚、補強部材はリジッド基板と一体に組み付けられていると、例えば立体基板が変形した際にリジッド基板との配線部どうしが接触して電気的接続不良が発生するのを防ぐことができる。
【００２７】
また、補強部材は光透過性を有する合成樹脂で形成されていてもよい。これにより、リジット基板に実装された発光素子の照射光により立体基板の基板面を装飾面として利用できる。また、補強部材自体に光透過性がなくても、装飾性のある形態、たとえば星型の貫通孔等が形成されていると、リジット基板に実装された発光素子の照射光が貫通孔等を通じて立体基板の基板面にその形態を投影することができ、装飾性を高めることができる。
【００２８】
また、遊技機用発光基板は、凹面部に設けられた配線部に電気部品が基板実装され、前記凹面部の周囲の平坦部に設けられた配線部に発光素子が基板実装されていると、光学式センサなどの電気部品を凹面部に基板実装することで周囲の平坦部に設けられた発光素子の発光による影響を受け難くなるので、装飾効果を高めると共に誤動作を防止することができる。
【００２９】
また、遊技機に上述した遊技機用発光装置を備えたことにより、パチンコ機の図柄表示装置の大画面化やセンター役物が大型化にともなって遊技領域が拡大しても、発光装置を狭い装飾領域や、遊技盤に設けられる盤面部品や役物にも設けることができ、装飾領域を新たに確保しなくても遊技領域内外や発射ハンドルのカバーにいたるまで、電気部品が配置可能な領域に発光装置を設けて立体的で奥行き感のある多彩な演出を行うことができる。
【図面の簡単な説明】
【００３０】
【図１】パチンコ機の斜視図である。
【図２】発射ハンドルの斜視図である。
【図３】発射ハンドルの前方側分解斜視図である。
【図４】発射ハンドルの後方側分解斜視図である。
【図５】発射ハンドルの正面図、側面図である。
【図６】図５の矢印Ａ−Ａ断面図及び部分拡大断面図である。
【図７】他例にかかる遊技機用発光装置の説明図である。
【図８】他例にかかる遊技機用発光装置の説明図である。
【図９】他例にかかる遊技機用発光装置の説明図である。
【発明を実施するための形態】
【００３１】
以下、本発明の実施形態について図面を参照しながら具体的に説明する。
図１を参照して本実施形態に係る遊技機の概略構成について説明する。本実施例としては、遊技機の一例としてパチンコ機について説明するものとする。
先ずパチンコ機１の概略構成について説明する。図１において、パチンコ機１の外形をなす外枠２に対してヒンジ部４により内枠３が開閉可能に取り付けられ、該内枠３の前面を覆う前面枠５が図示しないヒンジ部を中心に開閉可能に取り付けられている。内枠３には遊技領域が形成される遊技盤が設けられると共に該遊技盤の下方には遊技領域へ向かって遊技球を発射する球発射装置が組み付けられている。
【００３２】
また、図１において、前面枠５の下方には貸球や賞球等の遊技球を一時的に貯留し、該遊技球を球発射装置へ誘導する上球受け皿６が一体に設けられている。球受け皿６の右側には、球発射装置によって遊技領域へ発射される遊技球の発射力を調節するための発射ハンドル７が設けられている。発射ハンドル７は、前面枠５の枠体に設けられる装着部に装着される。上球受け皿６の上端部には遊技状態に応じて遊技者が操作する操作スイッチ８、上球受け皿６を開口させて遊技球を下球受け皿１０に排出する球抜きレバー９、下球受け皿１０を開口させて遊技球をドル箱等に排出する球抜きレバー１１などが設けられている。内枠３の後面側上部には貯留タンク１２が設けられている。この貯留タンク１２にはパチンコ機１が配置されたホールの島から遊技球が供給されるようになっている。
【００３３】
次に遊技機用発光装置が設けられる発射ハンドル７の構成について図２乃至図６を参照して説明する。
図２及び図５において、発射ハンドル７は、ハンドル軸部１３、遊技者が回転操作する操作部材１４、キャップ１５が一体に組み付けられている。発射ハンドル７は、ハンドル軸部１３が固定板金１３ａにより前面枠５に対してビス１３ｂにより止められて組み付けられる（図３参照）。キャップ１５は光透過性を有する樹脂材により形成されており、後述する内部に装着された立体基板１８やガラスエポキシ樹脂基板等のリジッド基板１９（これらを総称して遊技機用発光基板という；図３参照）に実装された発光素子の発光により発射ハンドル７が装飾表示されるようになっている。
【００３４】
図３に示すように、ハンドル軸部１３の前面側には、発射停止スイッチ１６及び該発射停止スイッチ１６をＯＮ／ＯＦＦする停止レバー１７がビス１６ａ，１７ａによって組み付けられる。停止レバー１７は、ハンドル軸部１３と操作部材１４との境界部に設けられ、遊技者により停止レバー１７が操作されると発射停止スイッチ１６が停止レバー１７の操作を検知し、球発射装置からの遊技球の発射を停止するようになっている。
【００３５】
図３において、ハンドル軸部１３の前方側には、操作部材１４が当該ハンドル軸部１３に対して予め定められた回転基準位置から所定範囲で回転可能に軸支されている。操作部材１４は、図示しないタッチセンサと接続された板金２０を介してハンドル軸部１３に組み付けられる。板金２０はビス２０ａによりハンドル軸部１３に組み付けられる。板金２０にはアース線２１が接続されている。操作部材１４は導電性を有しており（例えば樹脂材をめっきコーティングされている）、その外周部には遊技者が把持したまま回転できるように複数の指掛突起１４ａが設けられている。コイルばね２２の両端部は、ハンドル軸部１３のボス部１３ｃと操作部材１４の係止部１４ｂの各々係止しており、操作部材１４をハンドル軸部１３に対して所定位置（回転基準位置）に留まるように付勢している。操作部材１４は、ボス部１３ｄが長孔１４ｄを挿通するようにハンドル軸部１３に対して組み付けられる（図４参照）。
【００３６】
図４において、ハンドル軸部１３の後面側から可変抵抗器（若しくはポテンショメータ）２３が組み付けられ、止めねじ２３ｂにより組み付けられる。これにより軸端部にスリットが形成されたスリット軸２３ａが操作部材１４の回転中心（中心軸部１４ｃの後面側）に設けられた係止部１４ｅと係止する。操作部材１４を回転操作するとスリット軸２３ａが回転して、可変抵抗器２３は操作部材１４の回転基準位置からの回転量を検出する。
【００３７】
操作部材１４の前面側にはリジッド基板１９、立体基板１８が重ね合わせてハンドル軸部１３の後面側より嵌合する固定ねじ２４により組み付けられる。また、立体基板１８の前面側は、キャップ１５により覆われる。
【００３８】
発射停止スイッチ１６、可変抵抗器２３等の電気部品は、発射制御基板と電気的に接続されている。発射制御基板は、発射ハンドル７の操作により球発射装置の駆動源へ印加する印加電圧がリニアに変化するようになっている。
【００３９】
ここで立体基板１８の一例について説明する。
図２において、立体基板１８には配線部（導体パターン；図示せず）が形成され、該配線部に少なくとも発光素子が基板実装されている。具体的には、立体基板１８は、高さ方向に起伏を有する立体形状（例えばドーム形状）をした曲面部１８ａとその周囲の平坦部１８ｂを有し、各曲面部１８ａに第一の発光素子（ＬＥＤ）２５ａが、平坦部１８ｂに第二の発光素子（ＬＥＤ）２５ｂが各々基板実装されている。また、平坦部１８ｂにはコネクタ２６が設けられている。曲面部１８ａには複数の第一の発光素子（ＬＥＤ）２５ａが、異なる高さとなるように基板実装されているとともに各第一の発光素子（ＬＥＤ）２５ａから照射される光の光軸が異なる方向となるように基板実装されている。
【００４０】
立体基板１８を構成する基材は、耐熱性熱可塑性樹脂基材である、この耐熱性熱可塑性樹脂基材は耐熱性の熱可塑性樹脂材をベースとしており、例えば、熱変形可能な温度が１３０℃以上のものであることが好ましい。回路基板に電子機器を搭載する際には、種々の工程において基板に熱がかかるため、これに耐え得る程度の耐熱性が要求される。
【００４１】
耐熱性熱可塑性樹脂基材の素材に好適な樹脂材としては、ポリエチレンテレフタレート、ポリブチレンテレフタレート、ポリエチレンナフタレート、ポリアリレート、サーモトロピック液晶ポリエステル、その他の芳香族ポリエステルなどのポリエステル系樹脂；ナイロン６、ナイロン６６などのポリアミド系樹脂；液晶ポリエステルアミド；環状ポリオレフィンコポリマー、ポリメチルペンテンなどのポリオレフィン系樹脂；ポリエーテルスルホン、ポリエーテルケトン、ポリエーテルエーテルケトンなどのポリエーテル系樹脂；ポリサルホン；ポリカーボネート；ポリフェニレンスルフィド；熱可塑性ポリイミドなどが挙げられる。これらの樹脂は１種単独で用いられる他に、２種以上の樹脂材を組み合わせて使用することもできる。これらの中でも、上記のサーモトロピック液晶ポリエステルや液晶ポリエステルアミド（サーモトロピック液晶ポリエステルアミド）などの液晶ポリマー（サーモトロピック液晶ポリマー）が好適である。
【００４２】
なお、上記のサーモトロピック液晶ポリマー（以下、単に「液晶ポリマー」という）とは、例えば、芳香族ジカルボン酸と芳香族ジオールや芳香族ヒドロキシカルボン酸などのモノマーを主体として合成される芳香族ポリエステルや液晶ポリエステルアミドであって、溶融時に液晶性を示すものをいう。
【００４３】
また配線部を構成する導体金属としては、例えば、銅、アルミニウム、スズ、銀、金、白金、亜鉛、鉄等、これらの金属を含む合金［ステンレス鋼（ＳＵＳ）、４２アロイ、銅合金など］などが挙げられる。
【００４４】
金属層は単層構造でもよく、異なる２種以上の金属を組み合わせた積層構造であってもよい。積層の方法も特に制限はなく、例えば、耐熱性熱可塑性樹脂基材と金属板を貼り合わせた後、該金属板表面に真空蒸着法やスパッタリング法、イオンプレーティング法、めっき法、ＣＶＤ法などで、金属板の構成金属とは異なる種類から構成される金属層を設ける方法などが採用できる。また、金属層は、耐熱性熱可塑性樹脂基材の片面にのみ設けられていてもよく、耐熱性熱可塑性樹脂基材の両面に設けられていてもよい。
【００４５】
上記立体基板１８を用いることで、部品点数が少なくしかも任意の装飾スペースに合わせて立体形状に成形して組み付けできるので、省スペースでも装飾性の高い遊技機用発光装置を提供することができる。
【００４６】
立体基板１８は、曲面部１８ａに配線部が形成され、該配線部に複数の発光素子２５ａが異なる高さとなるように基板実装されているので、立体的で奥行き感のある装飾効果が得られる。
【００４７】
また、立体基板１８は、曲面部１８ａに配線部が形成され、該配線部に複数の発光素子２５ａの発する光の光軸が異なる方向となるように基板実装されているので、曲面部１８ａに基板実装された発光素子からの照射光を半球状のキャップ１５に均一に照射することができ、装飾性を高めることができる。
【００４８】
また、立体基板１８の曲面部１８ａに形成された配線部に基板実装された第一の発光素子２５ａと平坦部１８ｂに形成された配線部に基板実装された第二の発光素子２５ｂから照射される光が混じりあって遊技者に視認されるので、輝度が増大すると共に色彩が変化し、装飾効果を高めた多彩な演出を行うことができる。
【００４９】
また、立体基板１８の後面側に設けられたリジッド基板１９の前面側（立体基板１８と対向する側）に基板実装された発光素子２７（図３参照）からの照射光が立体基板１８の曲面部１８ａを透過して点灯表示されると、立体基板１８の後面側の光源による基板面も装飾面として利用できるので、より複雑で多彩な演出が行える。リジッド基板１９の後面側にはコネクタ２８が設けられている（図４参照）。
【００５０】
図６において、上述した発射ハンドル７は、ハンドル軸部１３の前面側に発射停止スイッチ１６、停止レバー１７、板金２０、操作部１４を重ね合わせ、操作部１４の中心軸部１４ｃにコイルばね２２を嵌め込んでその端部を、ハンドル軸部１３と操作部材１４に各々係止させる。そして、操作部材１４の上にリジッド基板１９と立体基板１８（平坦部１８ｂ）をボス部１３ｄに位置合わせして重ね合わせ、キャップ１５が立体基板１８を覆うように嵌め込まれる。
【００５１】
また、ハンドル軸部１３の後面側より可変抵抗器２３が嵌め込まれて止め輪２３ｂに固定され、スリット軸２３ａが操作部材１４の回転中心（中心軸部１４ｃの後面側）に設けられた係止部１４ｅ（図４参照）と係止するように嵌め込まれる。また、ボス部１３ｄのねじ孔１３ｅに固定ねじ２４を後面側より嵌め込んで、キャップ１５の後面側に形成されたねじ孔１５ａに嵌め込む。これにより、ボス部１３ｄとキャップ１５との間にリジッド基板１９と立体基板１８（平坦部１８ｂ）が挟み込まれたまま組み付けられる（図６拡大図参照）。
【００５２】
上述した遊技機用発光装置は、パチンコ機１の図柄表示装置（液晶表示装置）が大画面化し、センター役物が大型化して遊技領域が拡大しても、遊技盤に設けられる盤面部品や役物にも立体基板１８を任意の形状に成形して狭い装飾領域設けることができ、装飾領域を新たに確保しなくても、電気部品が配置可能な領域に配置して立体的で奥行き感のある多彩な演出を行うことができる。
【００５３】
次に、遊技機用発光装置の他例について図７及び図８を参照して説明する。
遊技機用発光基板である立体基板１８は、曲面部１８ａが曲面に形成されていたが、図７に示すように面取り部１８ｃが形成された平面部に第一の発光素子２５ａが基板実装されていてもよい。この場合には、面取り部１８ｃに対する第一の発光素子２５ａの実装作業が容易に行なえるうえに、実装不良が発生し難くなる。また、第一の発光素子２５ａより照射される照射光の方向性を確実に定めることができる。尚、立体基板１８に形成される凸面部の形状は曲面に限らず、多面体形状であってもよい。
【００５４】
また、図８において、立体基板１８に設けられた凹面部１８ｄにフォトセンサ２９が設けられ、凹面部の周囲の平坦部１８ｂに設けられた配線部に発光素子（ＬＥＤ）２５ｂが実装されている。立体基板１８の前方には可動部３０が設けられ、該可動部３０には遮光部３０ａが設けられている。
この場合には、フォトセンサ２９などの光学式センサを凹面部１８ｄに基板実装することで周囲の平坦部１８ｂに設けられた発光素子２５ｂの発光による影響を受け難くなるので、装飾効果を高めると共に誤動作を防止することができる。
【００５５】
また、立体基板１８はその可撓性を有するが故の変形し易さや立体形状であるが故の強度低下が懸念される。そこで、図９に示すように、曲面部１８ａの後面側に立体形状を保持するカップ状の補強部材１８ｅが重ね合わせてハンドル軸部１３等に組み付けられていてもよい。この補強部材１８ｅの存在により、曲面部１８ａの変形やこれに伴うリジッド基板１９との配線部どうしの接触により第１の発光素子２５ａや発光素子２７の電気的接続性が損なわれて信頼性が低下するのを防ぐことができる。また、図９に示すように補強部材１８ｅがリジッド基板１９に一体に組み付けられていてもよい。具体的には、補強部材１８ｅにはねじ孔１８ｆが設けられており、リジッド基板１９のねじ孔１９ａと位置合わせして重ね合わせ、固定ねじ３１により固定されている。これにより、例えば立体基板１８の前方に凸となるように湾曲形成された曲面部１８ａが陥没する変形やこれに伴うリジッド基板１９との配線部どうしが接触することにより電気的接続不良が発生するのを防ぐことができる。
【００５６】
また、補強部材１８ｅは光透過性のある合成樹脂で形成されていてもよい。これにより、リジット基板１９に実装された発光素子２７の照射光により立体基板１８の基板面を装飾面として利用できる。また、補強部材１８ｅ自体に光透過性がなくても、装飾性のある形態、たとえば星型の貫通孔１８ｇ等（図９破線部参照）が形成されていると、リジット基板１９に実装された発光素子２７の照射光により立体基板１８の基板面に貫通孔１８ｅ等を通じてその形態を投影することができ、装飾性を高めることができる。
【００５７】
なお、実施例に示した内容に限定されるものではなく、立体基板１８の形状は、任意に成形することが可能であり、発射ハンドル7に限らず、盤面部品の一部に組み付けられていてもよい。
また、遊技機用発光装置は、パチンコ機１に備えたものについて説明したが、他の遊技機、例えば雀球遊技機やアレンジボール遊技機などに備えてもよい。
【符号の説明】
【００５８】
１  パチンコ機
２  外枠
３  内枠
４  ヒンジ部
５  前面枠
６  上球受け皿
７  発射ハンドル
８  操作スイッチ
９，１１  球抜きレバー
１０  下球受け皿
１２  貯留タンク
１３  ハンドル軸部
１３ａ  固定板金
１３ｂ，１６ａ，１７ａ，２０ａ  ビス
１３ｃ，１３ｄ  ボス部
１３ｅ，１５ａ，１８ｆ，１９ａ  ねじ孔
１４  操作部材
１４ａ  指掛突起
１４ｂ  係止部
１４ｃ  中心軸部
１４ｄ  長孔
１４ｅ  係止部
１５  キャップ
１６  発射停止スイッチ
１７  停止レバー
１８  立体基板
１８ａ  曲面部
１８ｂ  平坦部
１８ｃ  面取り部
１８ｄ  凹面部
１８ｅ  補強部材
１８ｇ  貫通孔
１９  リジッド基板
２０  板金
２１  アース線
２２  コイルばね
２３  可変抵抗器
２３ａ  スリット軸
２３ｂ  止めねじ
２４，３１  固定ねじ
２５ａ  第一の発光素子
２５ｂ  第二の発光素子
２６，２８  コネクタ
２７  発光素子
２９  フォトセンサ
３０  可動部
３０ａ  遮光部
【図１】
2011072331.tif 000003
【図２】
2011072331.tif 000004
【図３】
2011072331.tif 000005
【図４】
2011072331.tif 000006
【図５】
2011072331.tif 000007
【図６】
2011072331.tif 000008
【図７】
2011072331.tif 000009
【図８】
2011072331.tif 000010
【図９】
2011072331.tif 000011